(57)【要約】  本発明は、複数のオブジェクトを異なる配列にて表示することを課題とする。この課題を解決するため、本発明に係る携帯電子機器は、１つの実施形態として、複数のオブジェクトを表示する表示領域を有する表示部と、表示領域へのオブジェクトの表示を制御する制御部と、を有し、制御部は、表示領域内で第１配列にて表示された複数のオブジェクトが、表示領域の内側から外側へ向かう方向に移動された後に、表示領域内に再表示される場合、複数のオブジェクトを第２配列にて表示させる。
2011115186.tif 000002
【特許請求の範囲】
【請求項１】
複数のオブジェクトを表示する表示領域を有する表示部と、
前記表示領域への前記オブジェクトの表示を制御する制御部と、を有し、
前記制御部は、前記表示領域内で第１配列にて表示された前記複数のオブジェクトが、前記表示領域の内側から外側へ向かう方向に移動された後に、前記表示領域内に再表示される場合、前記複数のオブジェクトを第２配列にて表示させる、
携帯電子機器。
【請求項２】
請求項１に記載の携帯電子機器であって、
前記複数のオブジェクトそれぞれに付された優先順位を記憶する記憶部を更に有し、
前記制御部は、前記第２配列として前記優先順位に従った配列にて、前記複数のオブジェクトを再表示させる
携帯電子機器。
【請求項３】
請求項２に記載の携帯電子機器であって、
前記オブジェクトの何れかを選択する操作が行われる操作部を更に有し、
前記制御部は、前記操作部によって選択された操作の頻度に基づいて、前記オブジェクトの優先順位を設定する
携帯電子機器。
【請求項４】
請求項２に記載の携帯電子機器であって、
前記オブジェクトの何れかを選択する操作が行われる操作部を更に有し、
前記制御部は、前記操作部によって直近に選択された時刻に基づいて、前記オブジェクトの優先順位を設定する
携帯電子機器。
【請求項５】
請求項１に記載の携帯電子機器であって、
前記制御部は、前記複数のオブジェクトが前記表示領域の内側から外側に向かう方向に移動される場合、当該複数のオブジェクトをスクロール表示させる
携帯電子機器。
【請求項６】
請求項１に記載の携帯電子機器であって、
前記制御部は、前記第１配列にて表示された前記複数のオブジェクトが、前記表示領域の第１端部側に移動された後に、前記第１端部とは反対側の端部である第２端部から前記表示領域内に移動される場合に、前記第２配列にて前記複数のオブジェクトを再表示させる
携帯電子機器。
【請求項７】
請求項１に記載の携帯電子機器であって、
筐体と、
当該筐体の傾きを検出する検出部を更に備え、
前記制御部は、前記検出部により検出される傾きに応じて、前記複数のオブジェクトを移動させる
携帯電子機器。
【請求項８】
請求項１に記載の携帯電子機器であって、
前記複数のオブジェクトの何れかを選択する操作が行われる操作部と、
前記複数のオブジェクトの各々に対応付けられた複数のアプリケーションプログラムを記憶する記憶部と、を更に備え、
前記制御部は、前記操作部によって前記複数のオブジェクトの一つが選択された場合、当該オブジェクトに対応付けられたアプリケーションを起動する
携帯電子機器。
【請求項９】
請求項１に記載の携帯電子機器であって、
前記制御部は、第２配列にて複数のオブジェクトが再表示される場合、配列された順番に従って色が濃くなるように前記複数のオブジェクトを表示させる
携帯電子機器。
【請求項１０】
請求項１に記載の携帯電子機器であって、
前記制御部は、標準画面の上に重ねて前記複数のオブジェクトを表示し、前記標準画面以外の画面から当該標準画面に表示画面が切り替えられた場合に、前記オブジェクトを前記標準画面上にてスクロール表示させる
携帯電子機器。
【請求項１１】
複数のオブジェクトを表示部の表示領域内に表示するステップと、
前記表示領域内で第１配列にて表示された前記複数のオブジェクトを、前記表示領域の内側から外側へ向かう方向に移動させるステップと、
前記表示領域の外側へ移動された前記複数のオブジェクトを第２配列にて表示させるステップと、
を含む表示制御方法。
【請求項１２】
携帯電子機器に、
複数のオブジェクトを表示部の表示領域内に表示するステップと、
前記表示領域内で第１配列にて表示された前記複数のオブジェクトを、前記表示領域の内側から外側へ向かう方向に移動させるステップと、
前記表示領域の外側へ移動された前記複数のオブジェクトを第２配列にて表示させるステップと、
を実行させる表示制御プログラム。
【発明の詳細な説明】
【技術分野】
【０００１】
本発明は、携帯電子機器、表示制御方法および表示制御プログラムに関する。
【背景技術】
【０００２】
携帯電子機器の一例である携帯電話機は、例えば、表示部に待受画面（携帯電話機の電源を立ち上げたときの非通話時の画面）を表示する。そして、この携帯電話機の中には、文字が記載されたメモ情報などのオブジェクトを待受画面に重ねて（貼り付けて）表示させるものがある（特許文献１参照）。【０００３】
また、携帯電子機器においては、ユーザが、待受画面に表示可能なオブジェクトを登録することにより、オブジェクトが記憶部に記憶されている。そして、記憶部に記憶されたオブジェクトの中から、所望のオブジェクトが待受画面に表示される。
【先行技術文献】
【特許文献】
【０００４】
【特許文献１】特開２００５−５１３１６号公報
【発明の概要】
【発明が解決しようとする課題】
【０００５】
ところで、従来の携帯電子機器においては、オブジェクトが表示部に表示される場合、これらのオブジェクトの配列は一義的に設定されており、オブジェクトがユーザにとって最適に配列されていない場合があった。【０００６】
本発明の目的は、複数のオブジェクトを異なる配列にて表示することが可能な携帯電子機器、表示制御方法および表示制御プログラムを提供することである。
【課題を解決するための手段】
【０００７】
上述した課題を解決するために、本発明にかかる携帯電子機器は、複数のオブジェクトを表示する表示領域を有する表示部と、前記表示領域への前記オブジェクトの表示を制御する制御部と、を有し、前記制御部は、前記表示領域内で第１配列にて表示された前記複数のオブジェクトが、前記表示領域の内側から外側へ向かう方向に移動された後に、前記表示領域内に再表示される場合、前記複数のオブジェクトを第２配列にて表示させる。【０００８】
また、かかる携帯電子機器は、前記複数のオブジェクトそれぞれに付された優先順位を記憶する記憶部を更に有し、前記制御部は、前記第２配列として前記優先順位に従った配列にて、前記複数のオブジェクトを再表示させる
ことが望ましい。【０００９】
また、かかる携帯電子機器は、前記オブジェクトの何れかを選択する操作が行われる操作部を更に有し、前記制御部は、前記操作部によって選択された操作の頻度に基づいて、前記オブジェクトの優先順位を設定することが望ましい。【００１０】
また、かかる携帯電子機器は、前記オブジェクトの何れかを選択する操作が行われる操作部を更に有し、前記制御部は、前記操作部によって直近に選択された時刻に基づいて、前記オブジェクトの優先順位を設定することが望ましい。【００１１】
また、かかる携帯電子機器であって、前記制御部は、前記複数のオブジェクトが前記表示領域の内側から外側に向かう方向に移動される場合、当該複数のオブジェクトをスクロール表示させることが望ましい。【００１２】
また、かかる携帯電子機器であって、前記制御部は、前記第１配列にて表示された前記複数のオブジェクトが、前記表示領域の第１端部側に移動された後に、前記第１端部とは反対側の端部である第２端部から前記表示領域内に移動される場合に、前記第２配列にて前記複数のオブジェクトを再表示させることが望ましい。【００１３】
また、かかる携帯電子機器は、筐体と、当該筐体の傾きを検出する検出部を更に備え、前記制御部は、前記検出部により検出される傾きに応じて、前記複数のオブジェクトを移動させることが望ましい。【００１４】
また、かかる携帯電子機器は、前記複数のオブジェクトの何れかを選択する操作が行われる操作部と、前記複数のオブジェクトの各々に対応付けられた複数のアプリケーションプログラムを記憶する記憶部と、を更に備え、前記制御部は、前記操作部によって前記複数のオブジェクトの一つが選択された場合、当該オブジェクトに対応付けられたアプリケーションを起動することが望ましい。【００１５】
また、かかる携帯電子機器であって、前記制御部は、第２配列にて複数のオブジェクトが再表示される場合、配列された順番に従って色が濃くなるように前記複数のオブジェクトを表示させることが望ましい。【００１６】
また、かかる携帯電子機器であって、前記制御部は、標準画面の上に重ねて前記複数のオブジェクトを表示し、前記標準画面以外の画面から当該標準画面に表示画面が切り替えられた場合に、前記オブジェクトを前記標準画面上にてスクロール表示させることが望ましい。【００１７】
また、上述した課題を解決するために、本発明にかかる表示制御方法は、複数のオブジェクトを表示部の表示領域内に表示するステップと、前記表示領域内で第１配列にて表示された前記複数のオブジェクトを、前記表示領域の内側から外側へ向かう方向に移動させるステップと、前記表示領域の外側へ移動された前記複数のオブジェクトを第２配列にて表示させるステップと、を含む。【００１８】
また、上述した課題を解決するために、本発明にかかる表示制御プログラムは、携帯電子機器に、複数のオブジェクトを表示部の表示領域内に表示するステップと、前記表示領域内で第１配列にて表示された前記複数のオブジェクトを、前記表示領域の内側から外側へ向かう方向に移動させるステップと、前記表示領域の外側へ移動された前記複数のオブジェクトを第２配列にて表示させるステップと、を実行させる。
【発明の効果】
【００１９】
本発明によれば、複数のオブジェクトを異なる配列にて表示することが可能となる。
【図面の簡単な説明】
【００２０】
【図１−１】図１−１は、閉じられた状態の携帯電話機の外観の一例を図解した図である。
【図１−２】図１−２は、開けられた状態の携帯電話機の外観の一例を図解した図である。
【図２】図２は、携帯電話機のシステム構成の一例を図解した図である。
【図３】図３は、貼り付けメモの表示制御を説明するためのフローチャートである。
【図４】図４は、表示部の状態遷移図である。
【発明を実施するための形態】
【００２１】
＝＝携帯電話機の構成＝＝
図１−１および図１−２は、本実施形態に係る携帯電話機本体の外観図であって、図１−１は閉じられた状態の外観図を、図１−２は開けられた状態の外観図をそれぞれ示す。図２は、本実施形態に係る携帯電話機の主要回路の構成例を示すブロック図である。
【００２２】
携帯電話機１は、図１−１、図１−２および図２に示すように、本体ケース１１、通信部１２、音声処理部１３、表示部１４、操作部１５、記憶部としてのメモリ１６、制御部の一例である制御部１７、可動機構部１８、および傾き検出部の一例である加速度センサー（検出部）１９を有している。
【００２３】
通信部１２は、送受信アンテナ１２１、および無線回路１２２により構成されている。送受信アンテナ１２１は、本体ケース１１の表示部１４のある側に内蔵されている。無線回路１２２は、電波を利用した無線通信で行うために、制御部１７で処理された音声情報、ＩＤ、Ｗｅｂページデータの閲覧要求情報等を変調して送受信アンテナ１２１により図示しない基地局に送信する。また、無線回路１２２は、基地局から無線により送信され、送受信アンテナ１２１で受信したページデータや音声情報等の各種情報を復調して制御部１７に出力する。
【００２４】
音声処理部１３は、音声処理回路１３１を有し、通話機能のために音声入力を行う入力部の一例であるマイクロフォン１３２と音声出力を行うスピーカ１３３が接続されている。音声処理回路１３１は、マイクロフォン１３２により入力した音声に対して所定の処理を行って制御部１７に供給する。なお、音声処理回路１３１は、マイクロフォン１３２から入力された音声を認識する認識部の機能を有する。また、音声処理回路１３１は、制御部１７により供給された音声情報に対して所定の処理を行ってスピーカ１３３から出力させる。
【００２５】
図１−２に示すように、マイクロフォン１３２は、本体ケース１１の操作部１５の下部に配置され、スピーカ１３３は表示部１４の上部に配置されている。
【００２６】
表示部１４は、図１−２に示すように、本体ケース１１の上部側に配置された液晶表示装置（ＬＣＤ：Ｌｉｑｕｉｄ  Ｃｒｙｓｔａｌ  Ｄｉｓｐｌａｙ）等の表示デバイスを有し、通話機能のために入力した電話番号や各種メッセージ、テキストデータ等を含むメモなどを表示する。また、表示部１４は、たとえば最上段の１行分は、モードの種類、電波の強さ、電池残量等を表示するガイド表示行として用いられる。
【００２７】
特に、本実施形態における表示部１４は、制御部１７の制御に基づいて、待受画面（ｓｔａｎｄｂｙ  ｄｉｓｐｌａｙ）上に貼り付けメモ（画面上で操作されるオブジェクトの一例）と呼ぶ所定の大きさのウィンドウを複数個、待受画面の背景表示に重ねて表示させることが可能である。なお、待受画面は、携帯電話機の電源を立ち上げたときの非通話時の画面を言う。待受画面は、例えば、標準画面、初期画面、デスクトップ画面、ホーム画面、または、壁紙と呼ばれることもある。
【００２８】
操作部１５は、図１−２に示すように、本体ケース１１の下部側に配置され、終了（終話）／電源キー１５ａ、開始（発呼）キー１５ｂ、数字等に対応した複数のテンキー１５ｃ、上下左右キー１５ｄ、センターキー１５ｅ等を有する。
【００２９】
メモリ１６は、たとえばＥＥＰＲＯＭを含んで構成され、通話やメールの送受信のための制御プログラム、インターネットブラウザ、メッセージデータ、名前および電話番号が登録されたアドレス帳等が記憶される。また、メモリ１６は、制御部１７にて実行されるアプリケーションプログラムも記憶している。
【００３０】
メモリ１６には、さらに各貼り付けメモに対応した貼り付けメモデータ（オブジェクトデータの一例）が格納される。貼り付けメモデータは、貼り付けメモとして登録されたデータ毎に、そのデータに対するリンクデータの他、ウィンドウ内に表示される表示テキストデータ，記号データ，およびウィンドウ表示位置データ等が対応づけられて構成される。
【００３１】
ここで、表示テキストデータは、メモリ１６内に格納した様々なデータ、またはその一部をユーザが操作部１５を通して選択し、その選択されたデータに含まれるテキストデータの中から所定の優先順位に従って決定したテキストデータである。表示部１４に表示される各ウィンドウ内に表示されるテキストデータの量には上限が設けられる。本実施形態ではその上限値が８文字なので、決定されたテキストデータの上位８文字が表示テキストデータとなる。
【００３２】
記号データは、貼り付けメモが表示部１４に表示されるときにユーザにメモの属性を識別が容易となるように貼り付けメモに付加して表示される記号を識別されるために用いられる。記号データには、記号データと別に格納される画像データやアイコン（ＩＣＯＮ）等の記号が関連付けられている。
【００３３】
制御部１７は、マイクロコンピュータを主体して構成されて携帯電話機１の全体の制御を行う。たとえば、制御部１７は、通信部１２における各種情報の無線による送受信の制御、音声処理部１３に対する音声情報の処理、表示部１４への情報の表示制御、操作部１５の入力情報に応じた処理、およびメモリ１６への処理に応じたアクセス制御等を行う。
【００３４】
制御部１７は、待受画面上に貼り付けられた貼り付けメモの表示を制御する表示制御部の機能を有する。なお、本実施形態においては、制御部１７は、携帯電話機本体の傾きに応じた貼り付けメモの表示制御を行う（当該制御の詳細については、後述する）。
【００３５】
可動機構部１８は、本体ケース１１の一部分（表示部１４を含む側）と本体ケース１１のもう一方の部分（操作部１５を含む側）とを水平回転可能に支持する。これにより、たとえば図１−１のように閉じられた状態から本体ケース１１の表示部側を一方向に水平回転させることにより、図１−２のとおり開けられた状態とすることが可能となる。
【００３６】
加速度センサー（検出部）１９は、機器本体である携帯電話機本体の傾きを検出するためのものである。なお、携帯電話機１は、検出部として、ジャイロセンサ等の他のセンサーを備えていてもよい。
【００３７】
＝＝携帯電話機本体の傾きに応じた貼り付けメモの表示制御＝＝
上述したように、待受画面には複数の貼り付けメモが貼り付けられる。しかし、携帯電話機１の待受画面の表示面積は限られている（小さい）ため、メモリ１６に登録された貼り付けメモデータ（メモ情報）の数が多い場合には、登録された貼り付けメモデータの中の一部の貼り付けメモデータに対応する貼り付けメモしか待受画面に表示できない。このため、従来は、前記一部以外の貼り付けメモを確認するためには、貼り付けメモの登録画面（待受画面とは異なる画面）を表示させる必要があった。
【００３８】
そこで、メモリ１６に登録され、待受画面に表示されていない貼り付けメモを容易にユーザに認識させるべく、本実施形態の携帯電話機１は、以下に説明する貼り付けメモの表示制御を行う。図３は、携帯電話機本体の傾きに応じた貼り付けメモの表示制御を説明するためのフローチャートである。図４は、表示部１４の状態遷移図である。
【００３９】
図３に示す表示制御は、制御部１７が、表示部１４に待受画面を表示させているところから始まる（ステップＳ２）。本実施形態では、図４（ａ）に示すように、複数（６個）の貼り付けメモＭ１〜Ｍ６が、縦に配列されて待受画面に貼り付けて（重ねて）表示されているものとする。なお、本実施形態では、待受画面には、最大６個の貼り付けメモを一度に表示できるものとする。ここで、貼り付けメモＭ１〜Ｍ６の配列順序は、予めメモリ１６に記憶されている。
【００４０】
次に、制御部１７は、携帯電話機本体の傾きを検出する（ステップＳ４）。具体的には、制御部１７は、加速度センサー１９により、携帯電話機本体が所定時間だけ傾いているか否かを検出する。そして、携帯電話機本体の傾きが検出された場合には（ステップＳ４：Ｙｅｓ）、制御部１７は、メモリ１６に登録された貼り付けメモデータの数（以下、登録メモ数ということがある）を取得する（ステップＳ６）。
【００４１】
次に、制御部１７は、メモリ１６に登録された登録メモ数が、待受画面にまとめて表示可能な貼り付けメモの数（以下、表示メモ数ということがある）よりも多いか少ないかを判定する（ステップＳ８）。そして、登録メモ数が表示メモ数より少ない場合には（ステップＳ８：Ｎｏ）、制御部１７は、図４（ａ）に示す待受画面の状態を維持させる、つまり、貼り付けメモを待受画面上でスクロール表示させない（ステップＳ２２）。これにより、不要なスクロールを防止できる。
【００４２】
一方で、登録メモ数が表示メモ数よりも多い場合には（ステップＳ８：Ｙｅｓ）、制御部１７は、以下に説明するように、メモリ１６に登録された貼り付けメモデータに対応する貼り付けメモを、待受画面上にて順次移動させてスクロール表示を行う。本実施形態では、メモリ１６に登録された登録メモ数が８個（貼り付けメモＭ１〜Ｍ８）であるものとして、貼り付けメモのスクロール表示を説明する。したがって、スクロール表示される対象は、図４（ａ）に示す貼り付けメモＭ１〜Ｍ６では無く、メモリ１６に記憶された貼り付けメモデータに対応する貼り付けメモＭ１〜Ｍ８である。
【００４３】
制御部１７は、まず、貼り付けメモＭ１〜Ｍ８に濃淡がそれぞれ異なる色を付す（ステップＳ１０）。なお、色の濃淡は、貼り付けメモＭ１、Ｍ２、Ｍ３・・・順に色が濃くなっている。つまり、色の濃淡が、メモ単位で段階的に変化している。このようにメモに濃淡が異なる色がメモに付されることにより、例えば貼り付けメモのスクロール時に、ユーザーは、スクロールの進み具合を認識できる。
【００４４】
次に、制御部１７は、色を付した貼り付けメモＭ１〜Ｍ８を、図４（ｂ）に示す矢印Ａの方向に移動させることにより、貼り付けメモＭ１〜Ｍ８をスクロール表示させる（ステップＳ１２）。なお、矢印Ａは、説明のために図示されており、実際に矢印Ａが表示部１４に表示されるわけではない。これにより、図４（ａ）の状態では表示されていなかった貼り付けメモＭ７とＭ８が、図４（ｃ）に示すようにスクロール表示されることになる。このため、ユーザは、メモリ１６に登録され、待受画面に貼り付けられていなかった貼り付けメモＭ７、Ｍ８を認識することが可能となる。なお、図４（ｃ）に示すように、スクロール表示に伴い、貼り付けメモが、画面の一端（第１の端部）から順番に消去されていく。
【００４５】
そして、制御部１７は、貼り付けメモＭ１〜Ｍ８をスクロール表示させている際に、貼り付けメモＭ１〜Ｍ８を表示する優先順位を判断する（ステップＳ１４）。たとえば、制御部１７は、選択頻度（メモのクリック回数）が多い貼り付けメモほど、表示の優先順位を上位にする。また、制御部１７は、現在の時刻に対してより近しい時間が記載された貼り付けメモほど、表示の優先順位を上位にしてもよい。さらに、たとえば、傾きを検出する直前に実行されていたアプリケーションに関係する貼り付けメモであるほど、表示の優先順位を上位にしてもよい。なお、選択頻度等の情報は、メモリ１６に記憶される。
【００４６】
次に、制御部１７は、ステップＳ１４で判断した貼り付けメモの表示の優先順位に応じた配列順番と、図４（ａ）に示される貼り付けメモの配列順番とが一致するか否かを判定する（ステップＳ１６）。そして、制御部１７は、配列順番が一致すると判定した場合には（ステップＳ１６：Ｙｅｓ）、貼り付けメモＭ１〜Ｍ６を移動させて、図４（ａ）に示すように配列表示させる（ステップＳ２４）。
【００４７】
一方で、制御部１７は、ステップＳ１６にて配列順番が一致しないと判定した場合には（Ｎｏ）、貼り付けメモＭ１〜Ｍ６の配列順番を前記優先順位に沿って配列させて表示させる。具体的には、貼り付けメモＭ２、Ｍ３、Ｍ４の優先順位が高であるとし、貼り付けメモＭ１、Ｍ５、Ｍ６の優先順位が中であるとし、貼り付けメモＭ７、Ｍ８の優先順位が低であるとする。
【００４８】
すると、制御部１７は、スクロール表示させた後に、図４（ｄ）に示すように、貼り付けメモＭ１〜Ｍ８の中から、優先順位の高い貼り付けメモＭ１〜Ｍ６のみを画面の下（第１の端部とは反対側の端部）から上側に向かって移動させる（ステップＳ１８）。つまり、画面から一旦消去されていた貼り付けメモが再度表示される。
【００４９】
そして、制御部１７は、図４（ｅ）に示すように、優先順位の高い順に、貼り付けメモＭ１〜Ｍ６を配列表示させる（ステップＳ２０）。これにより、スクロール表示の前後で、貼り付けメモＭ１〜Ｍ６の配列順番が、優先順位に応じて変更されることになる。このように貼り付けメモＭ１〜Ｍ６の優先順位の高い順に配列されているので、ユーザは、所望の貼り付けメモ（優先順位の高い貼り付けメモ）を容易に識別できることになる。
【００５０】
なお、上記では貼り付けメモＭ７、Ｍ８の優先順位が低い例が挙げられているものの、例えば貼り付けメモＭ７の優先順位が高い場合には、スクロール表示後に、貼り付けメモＭ７が、貼り付けメモＭ１〜Ｍ６の中のいずれかの貼り付けメモの代わりに待受画面に表示される。これにより、優先順位が高いにも拘わらずユーザが待受画面に貼り付けなかった貼り付けメモＭ７が、スクロール表示後に、待受画面に自動的に貼り付けられることになる。このため、従来のような、優先順位の高い貼り付けメモＭ７を確認するために登録画面を表示させる作業をユーザは省くことができる。
【００５１】
また、上記では、スクロール表示する際に、貼り付けメモＭ１〜Ｍ８が一度画面から全て消えた後に、貼り付けメモが待受画面上に再表示される実施形態が示されているものの、実施形態は、これに限定されない。例えば、図４（ｃ）に示すように貼り付けメモＭ７、Ｍ８が画面の上側に位置する際に、制御部１７は、画面の下側に一度消去された貼り付けメモを再表示させることにしても良い。かかる場合には、貼り付けメモのスクロール時間が短縮される。
【００５２】
＝＝その他の実施形態＝＝
一実施形態としての携帯電話機等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５３】
また、上記の実施形態においては、携帯電子機器として携帯電話機１について説明しているが、これに限定されず、ＰＨＳ（登録商標：Ｐｅｒｓｏｎａｌ  Ｈａｎｄｙ  Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、電子辞書、ノートパソコン等であっても良い。
【００５４】
また、上記の実施形態においては、携帯電話機１は、図１−１および図１−２に示すように水平回転する構成であることとしたが、これに限定されない。例えば、携帯電話機１は、折り畳み式の携帯電話機や、スライド移動する携帯電話機や、１つの筐体からなるストレート式（スレート式）の携帯電話機等であっても良い。
【００５５】
また、上記の実施形態においては、貼り付けメモのスクロール方向が図４（ｂ）に示す矢印Ａの方向であることとしたが、これに限定されない。例えば、携帯電話機本体の傾きの方向に応じて、図４（ｂ）に示す矢印Ａの方向と、当該方向とは逆の方向とのいずれか一方の方向に、貼り付けメモをスクロールさせることとしても良い。
【００５６】
また、上記の実施形態においては、待受画面が表示されている状態で携帯電話機１の傾きが検出された後に、貼り付けメモＭ１〜Ｍ８のスクロール表示を行ったが、これに限定されない。例えば、実行中の一のアプリが終了（または、中断）したことに伴い、前記一のアプリに対応する画面から待受画面に表示を切り替える際に、貼り付けメモのスクロール表示を行うこととしても良い。
【００５７】
さらに、上記の実施形態は、スクロールされるオブジェクトが貼り付けメモであるものの、スクロールされるオブジェクトは、貼り付けメモに限定されない。たとえば、スクロールされるオブジェクトは、貼り付けメモではなく、アイコン、画像、発着信履歴であってもよい。
【００５８】
また、上記の実施形態においては、加速度センサー１９が検出した携帯電話機が傾けられた方向に貼り付けメモがスクロール表示されるものの、実施形態はこれに限定されない。たとえば、ユーザによって携帯電話機本体が振られたことが加速度センサー１９によって検出された場合に、貼り付けメモがスクロール表示されてもよい。
【００５９】
また、上記オブジェクトがアイコンである実施形態において、当該アイコンが操作部１５によって選択された場合、当該アイコンに対応付けられたアプリケーションプログラムが制御部１７によって実行される実施形態であってもよい。なお、本実施形態においては、制御部１７は、選択された回数が多いオブジェクトほど、表示の優先順位を上位にしてもよい。また、本実施形態においては、制御部１７は、選択された時刻が直近であるオブジェクトほど、表示の優先順位を上位にしてもよい。また、本実施形態においては、アイコンが配列された標準画面上で選択されたにアイコンに対応付けられたアプリケーションプログラムの実行が終了するなどして、標準画面以外の画面から標準画面に表示画面が切り替えられた場合に、アイコンを標準画面上にてスクロール表示させてもよい。
【符号の説明】
【００６０】
１  携帯電話機、
１１  本体ケース、
１２  通信部、
１２１  送受信アンテナ、
１２２  無線回路、
１３  音声処理部、
１３１  音声処理回路、
１３２  マイクロフォン、
１３３  スピーカ、
１４  表示部、
１５  操作部、
１６  メモリ、
１７  制御部、
１８  可動機構部、
１９  加速度センサー
【図１−１】
2011115186.tif 000003
【図１−２】
2011115186.tif 000004
【図２】
2011115186.tif 000005
【図３】
2011115186.tif 000006
【図４】
2011115186.tif 000007
【国際調査報告】
2011115186.tif 000008
2011115186.tif 000009